(57)【要約】【課題】  本発明の課題は、空気の流れを著しく低下させず、ウィルスや菌を除去する効率を高めることができる空気ダクトシステム１００および分岐ユニット５０を提供することにある。【解決手段】  空気ダクトシステム１００は、メインダクト２１、分岐ダクト２２および分岐ユニット５０を備える。メインダクト２１は、空気を屋内へ配送するために設けられる。分岐ダクト２２は、メインダクト２１に対して複数設けられる。分岐ユニット５０は、メインダクト２１と複数の分岐ダクト２２とを配管接続する。また、この分岐ユニット５０は、第１除菌部７０を有する。第１除菌部７０は、第１吸着部を含む。第１吸着部は、ウィルスまたは菌を吸着する。また、この第１除菌部７０は、空気に含まれるウィルスまたは菌を除去する。【選択図】      図１
2005155976.tif 000002
【特許請求の範囲】
【請求項１】
空気を屋内へ配送するためのメインダクト（２１）と、
前記メインダクト（２１）に対して複数設けられる分岐ダクト（２２）と、
前記メインダクト（２１）と複数の前記分岐ダクト（２２）とを配管接続する分岐ユニット（５０）と、
を備え、
前記分岐ユニット（５０）は、前記空気に含まれるウィルスまたは菌を除去する第１除菌部（７０）を有し、
前記第１除菌部（７０）は、前記ウィルスまたは前記菌を吸着する第１吸着部（７０）を含む、
空気ダクトシステム（１００）。
【請求項２】
前記空気に含まれる前記ウィルスまたは前記菌を吸着する第２吸着部を含み、前記ウィルスまたは前記菌を除去する第２除菌部を有するフィルタ（４１，４２，４３）をさらに備える、
請求項１に記載の空気ダクトシステム（１００）。
【請求項３】
前記第１吸着部（７０）は、アパタイトを含む、
請求項１または２に記載の空気ダクトシステム（１００）。
【請求項４】
前記分岐ユニット（５０）の上流側に、前記ウィルスまたは前記菌を帯電させる帯電ユニットをさらに備える、
請求項３に記載の空気ダクトシステム（１００）。
【請求項５】
前記第１除菌部（７０）は、所定の波長領域の光が照射されることにより前記ウィルスまたは前記菌を除去する光触媒をさらに含む、
請求項１から４のいずれかに記載の空気ダクトシステム（１００）。
【請求項６】
前記分岐ユニット（５０）は、前記所定の波長領域の光を照射する光源（６０）をさらに有する、
請求項５に記載の空気ダクトシステム（１００）。
【請求項７】
前記分岐ユニット（５０）は、前記所定の波長領域の光を透過させる、
請求項５に記載の空気ダクトシステム（１００）。
【請求項８】
前記分岐ユニット（５０）は、少なくとも一部が透明である、
請求項５に記載の空気ダクトシステム（１００）。
【請求項９】
屋外から前記所定の波長領域の光を前記分岐ユニット（５０）に導入するための光導入部をさらに備える、
請求項５に記載の空気ダクトシステム（１００）。
【請求項１０】
前記第１除菌部（７０）と前記第１吸着部（７０）とは、同一の物質からなる、
請求項１に記載の空気ダクトシステム（１００）。
【請求項１１】
前記物質は、光触媒アパタイト（７０）である、
請求項１０に記載の空気ダクトシステム（１００）。
【請求項１２】
前記メインダクト（２１）および複数の前記分岐ダクト（２２）のうちいずれかのダクトは、内部に、前記空気に含まれる前記ウィルスまたは前記菌を吸着する第３吸着部を含み、前記ウィルスまたは前記菌を除去する第３除菌部を有する、
請求項１から請求項１１のいずれかに記載の空気ダクトシステム（１００）。
【請求項１３】
空気を屋内へ配送するためのメインダクト（２１）と、前記メインダクト（２１）に対して複数設けられる分岐ダクト（２２）とを有する空気ダクトシステム（１００）において、前記メインダクト（２１）と前記分岐ダクト（２２）とを配管接続する分岐ユニット（５０）であって、
前記空気に含まれるウィルスまたは菌を除去する除菌部（７０）と、
前記除菌部に含まれ、前記ウィルスまたは前記菌を吸着する吸着部（７０）と、
を備える、分岐ユニット（５０）。
【発明の詳細な説明】
【技術分野】
【０００１】
本発明は、空気ダクトシステムに関する。また、本発明は、空気ダクトシステムを構成する分岐ユニットにも関する。
【背景技術】
【０００２】
近年、ＳＡＲＳやインフルエンザなど、人にとって非常に有害なウィルスが大流行するなどしたため、屋内の空気の浄化技術が非常に注目されるようになっている。このような空気浄化技術の一例として、空気通路の内壁に光触媒を担持する技術などがある（例えば、特許文献１参照。）。この光触媒は、所定の波長領域の光が照射されることによりウィルスや菌を除去する機能を有する。
【特許文献１】特開平１０−６１０５１号公報
【発明の開示】
【発明が解決しようとする課題】
【０００３】
しかし、光触媒は、その表面にウィルスや菌が接触しない限り有効に機能しない。一般に、光触媒は、ウィルスや菌を積極的に吸着する能力に劣る。また、直管型などの空気通路では空気の流れが比較的スムーズであると考えられる。したがって、特許文献１の図１に示されるように、空気通路の側壁に光触媒の担持層を設けただけでは、ウィルスや菌が光触媒に接触する確立は極めて低いと予測される。これに対し、特許文献１の図４から図７に示されるように、空気通路に邪魔板を設けたり充填物を敷き詰めたりすることも考えられる。しかし、このような構成では、空気の流れが著しく低下するおそれがあり好ましくない。
【０００４】
本発明の課題は、空気の流れを著しく低下させず、ウィルスや菌を除去する効率を高めることができる空気ダクトシステムおよび分岐ユニットを提供することにある。
【課題を解決するための手段】
【０００５】
請求項１に記載の空気ダクトシステムは、メインダクト、分岐ダクトおよび分岐ユニットを備える。メインダクトは、空気を屋内へ配送するために設けられる。分岐ダクトは、メインダクトに対して複数設けられる。分岐ユニットは、メインダクトと複数の分岐ダクトとを配管接続する。また、この分岐ユニットは、第１除菌部を有する。第１除菌部は、空気に含まれるウィルスまたは菌を除去する。なお、この第１除菌部には、光触媒、カテキンまたは溶菌酵素などが含まれる。第１除菌部は、第１吸着部を含む。第１吸着部は、ウィルスまたは菌を吸着する。なお、この第１吸着部には、アパタイト、活性炭またはゼオライトなどが含まれる。
【０００６】
一般に、空気ダクトでは、ダクトよりも分岐ユニットの方が、汚染度が高い。これは、分岐ユニットにおける空気の滞留時間が、ダクトにおける空気の滞留時間よりも長いことが第１の要因と考えられる。また、第２の要因としては、分岐ユニットでは、空気が内壁に衝突しやすいことが挙げられる。
ここでは、分岐ユニットが、第１除菌部を有する。このため、空気が第１除菌部に接触しやすくなっている。また、第１除菌部が、第１吸着部を含む。このため、この空気ダクトシステムでは、空気の流れを著しく低下させず、ウィルスや菌を除去する効率を高めることができる。また、汚れやすい分岐ユニットを積極的に清浄化でき、臭気の発生などを抑えることもできる。
【０００７】
請求項２に記載の空気ダクトシステムは、請求項１に記載の空気ダクトシステムであって、フィルタをさらに備える。フィルタは、第２除菌部を有する。第２除菌部は、第２吸着部を含む。第２吸着部は、空気に含まれるウィルスまたは菌を吸着する。また、この第２除菌部は、ウィルスまたは菌を除去する。
ここでは、空気ダクトシステムがフィルタをさらに備える。また、そのフィルタが、第２除菌部を有する。さらに、第２除菌部が、第２吸着部を含む。一般に、フィルタは、邪魔板や充填物などに比べ空気の流れ方向が乱れにくい。このため、この空気ダクトシステムでは、空気の流れを著しく低下させず、ウィルスや菌を除去する効率をさらに高めることができる。
【０００８】
請求項３に記載の空気ダクトシステムは、請求項１または２に記載の空気ダクトシステムであって、第１吸着部は、アパタイトを含む。
ここでは、第１吸着部が、アパタイトを含む。このアパタイトは、ウィルスや菌に対する高い吸着特性を示すことが知られている。これは、主に、アパタイトが電荷を帯びており、ウィルスや菌と水素結合やイオン結合を形成しやすいためとされている。このため、第１除菌部は、ウィルスや菌を静電的に吸着することができる。したがって、第１除菌部は、ウィルスや菌を強固に吸着することができる。この結果、この空気ダクトシステムでは、空気の流れを著しく低下させず、ウィルスや菌を除去する効率をさらに高めることができる。
【０００９】
請求項４に記載の空気ダクトシステムは、請求項３に記載の空気ダクトシステムであって、分岐ユニットの上流側に、帯電ユニットをさらに備える。帯電ユニットは、ウィルスまたは菌を帯電させる。
一般に、アパタイトは、ウィルスや菌に対して高い吸着能を有する。これは、アパタイトが、電荷を帯びており、微弱な電荷を有するウィルスや菌と静電的な結合を形成するためであると考えられている。
【００１０】
ここでは、分岐ユニットの上流側に、帯電ユニットが配置される。このため、ウィルスや菌は、アパタイトに到達する前に帯電部においてより強い電荷を与えられる。したがって、ウィルスや菌がアパタイトに、より吸着されやすくなる。その結果、ウィルスや菌の捕集効率を向上させることができる。よって、この空気ダクトシステムでは、空気の流れを著しく低下させず、ウィルスや菌を除去する効率をさらに高めることができる。
【００１１】
請求項５に記載の空気ダクトシステムは、請求項１から４のいずれかに記載の空気ダクトシステムであって、第１除菌部は、光触媒をさらに含む。この光触媒は、所定の波長領域の光が照射されることによりウィルスまたは菌を除去する。
ここでは、第１除菌部が、光触媒を含む。このため、この光触媒に適切な波長域の光が照射されれば、ウィルスや菌を除去することができる。
【００１２】
請求項６に記載の空気ダクトシステムは、請求項５に記載の空気ダクトシステムであって、分岐ユニットは、光源をさらに有する。この光源は、所定の波長領域の光を照射する。
ここでは、分岐ユニットが、光源を有する。このため、容易に光触媒の触媒反応を活性化することができる。また、例えば、分岐ユニットの複数の口の近傍に光触媒を担持したフィルタを配置しておけば、そのフィルタ上の光触媒も活性化され、より効率的にウィルスや菌を除去することができる。
【００１３】
請求項７に記載の空気ダクトシステムは、請求項５に記載の空気ダクトシステムであって、分岐ユニットは、所定の波長領域の光を透過させる。
ここでは、例えば、分岐ユニットの一部に窓を設けるなどが考えられる。なお、この窓は透明なものであっても特定波長領域の光を選択的に透過させるようなものであってもよい。そして、その窓を介して分岐ユニット内に屋外から所定の波長領域の光を採光することができれば、光源が必要なくなる。このため、光源にかかる費用を削減することができる。
【００１４】
請求項８に記載の空気ダクトシステムは、請求項５に記載の空気ダクトシステムであって、分岐ユニットは、少なくとも一部が透明である。
ここでは、透明部分を介して分岐ユニット内に屋外の光を採光することができれば、光源が必要なくなる。このため、光源にかかる費用を削減することができる。
請求項９に記載の空気ダクトシステムは、請求項５に記載の空気ダクトシステムであって、光導入部をさらに備える。この光導入部は、屋外から所定の波長領域の光を分岐ユニットに導入するために設けられる。なお、この光導入部とは、例えば、リフレクター（反射板）などである。また、例えば、ダクトの内面を鏡面仕上げや鏡面コーティングなどして光導入部とすることも考えられる。
【００１５】
ここでは、光導入部が、屋外から所定の波長領域の光を分岐ユニットに導入する。このため、光源が必要なくなる。このため、光源にかかる費用を削減することができる。
請求項１０に記載の空気ダクトシステムは、請求項１に記載の空気ダクトシステムであって、第１除菌部と第１吸着部とは、同一の物質からなる。
ここでは、第１除菌部と第１吸着部とが、同一の物質からなる。このため、第１除菌部の構成を簡易なものとすることができる。このため、第１除菌部の製造コストを削減することができる。
【００１６】
請求項１１に記載の空気ダクトシステムは、請求項１０に記載の空気ダクトシステムであって、物質は、光触媒アパタイトである。
従来の光触媒は、吸着性能に乏しかったため、ゼオライトやアパタイトなどの吸着剤と混合されて使用されることが多かった。しかし、このように光触媒と吸着剤とを混合しても、ミクロ的に見れば、光触媒近傍に吸着されたウィルスや菌に対して効果があるのみで、吸着剤に吸着されているがその近傍に光触媒がない場合には、そのウィルスや菌が除去されずに吸着剤に残存したままとなる。このような状態が長期間継続すると悪臭の発生や空気の汚染などが起こることが懸念される。しかし、この光触媒アパタイトは、吸着サイトそのものが光触媒機能を有するので、吸着されたウィルスや菌をほぼ完全に除去することができる。また、アパタイトのウィルスや菌に対する吸着能は、ゼオライトや活性炭などの吸着能よりも優れている。このため、この空気ダクトシステムでは、ウィルスや菌を除去する効率をさらに高めることができる。
【００１７】
請求項１２に記載の空気ダクトシステムは、請求項１から請求項１１のいずれかに記載の空気ダクトシステムであって、メインダクトおよび複数の分岐ダクトのうちいずれかのダクトは、内部に第３除菌部を有する。第３除菌部は、第３吸着部を含む。第３吸着部は、空気に含まれるウィルスまたは菌を吸着する。また、この第３除菌部は、ウィルスまたは菌を除去する。
【００１８】
ここでは、メインダクトおよび複数の分岐ダクトのうちいずれかのダクトが、内部に、第３除菌部を有する。このため、この空気ダクトシステムでは、ウィルスや菌を除去する効率をさらに高めることができる。
請求項１３に記載の分岐ユニットは、メインダクトと、分岐ダクトとを有する空気ダクトシステムにおいて、メインダクトと分岐ダクトとを配管接続する分岐ユニットであって、除菌部および吸着部を備える。なお、ここにいう「メインダクト」は、空気を屋内へ配送するために設けられる。また、ここにいう「分岐ダクト」は、メインダクトに対して複数設けられる。除菌部は、空気に含まれるウィルスまたは菌を除去する。吸着部は、除菌部に含まれる。また、この吸着部は、ウィルスまたは菌を吸着する。
【００１９】
一般に、空気ダクトでは、ダクトよりも分岐ユニットの方が、汚染度が高い。これは、分岐ユニットにおける空気の滞留時間が、ダクトにおける空気の滞留時間よりも長いことが要因と考えられる。また、別の要因としては、分岐ユニットでは空気が内壁に衝突しやすいことが挙げられる。
ここでは、分岐ユニットが、第１除菌部を有する。このため、空気が第１除菌部に接触しやすくなっている。また、第１除菌部が、第１吸着部を含む。このため、このような分岐ユニットを空気ダクトシステムに用いれば、空気の流れを著しく低下させず、ウィルスや菌を除去する効率を高めることができる。
【発明の効果】
【００２０】
請求項１に係る空気ダクトシステムでは、空気の流れを著しく低下させず、ウィルスや菌を除去する効率を高めることができる。
請求項２に係る空気ダクトシステムでは、空気の流れを著しく低下させず、ウィルスや菌を除去する効率をさらに高めることができる。
請求項３に係る空気ダクトシステムでは、空気の流れを著しく低下させず、ウィルスや菌を除去する効率をさらに高めることができる。
【００２１】
請求項４に係る空気ダクトシステムでは、空気の流れを著しく低下させず、ウィルスや菌を除去する効率をさらに高めることができる。
請求項５に係る空気ダクトシステムでは、光触媒に適切な波長域の光が照射されれば、ウィルスや菌を除去することができる。
請求項６に係る空気ダクトシステムでは、容易に光触媒の触媒反応を活性化することができる。
【００２２】
請求項７に係る空気ダクトシステムでは、光源にかかる費用を削減することができる。
請求項８に係る空気ダクトシステムでは、光源にかかる費用を削減することができる。
請求項９に係る空気ダクトシステムでは、光源にかかる費用を削減することができる。
請求項１０に係る空気ダクトシステムでは、第１除菌部の構成を簡易なものとすることができる。このため、第１除菌部の製造コストを削減することができる。
【００２３】
請求項１１に係る空気ダクトシステムでは、ウィルスや菌を除去する効率をさらに高めることができる。
請求項１２に係る空気ダクトシステムでは、ウィルスや菌を除去する効率をさらに高めることができる。
請求項１３に係る分岐ユニットを空気ダクトシステムに用いれば、空気の流れを著しく低下させず、ウィルスや菌を除去する効率を高めることができる。
【発明を実施するための最良の形態】
【００２４】
本発明の実施の形態では、空気調和システムについて説明する。
［空気調和システムの構成］
空気調和システム１００は、図１に示すように、主に、吸い込み口１０、メインダクト２１、分岐ダクト２２、分岐ユニット５０、室内ユニット３０および光触媒フィルタ４１，４２，４３から構成される。なお、この空気調和システム１００は、屋内に配置される。
【００２５】
［空気調和システムの構成要素］
（１）吸い込み口
吸い込み口１０は、建物の壁８０を貫通するように設けられる。なお、この吸い込み口は、開閉可能となっている。
（２）メインダクト
メインダクト２１は、吸い込み口１０と接続される。このメインダクト２１には、屋外からの空気が流れ込む（図１の白抜き矢印Ａ１参照）。なお、この空気の流れは、後述する室内ユニット３０に内蔵されるクロスフローファンによる。
【００２６】
（３）分岐ユニット
分岐ユニット５０は、３つの連結部５１、光触媒アパタイト層７０および紫外線ランプ６０を備える。この分岐ユニット５０は、３つの連結部５１のうち１つの連結部５１でメインダクト２１と、残りの２つの連結部で２本の分岐ダクト２２と接続される。光触媒アパタイト層７０は、分岐ユニット５０の内面に設けられる。また、この光触媒アパタイト層７０には、カルシウムヒドロキシアパタイトの一部のカルシウム原子をチタン原子に置換して光触媒機能を付与したアパタイトが保持されている。紫外線ランプ６０は、光触媒アパタイトが触媒反応を行うのに必要な波長域の光を発する。なお、この分岐ユニット５０の内面は、鏡面仕上げされており、紫外線ランプ６０の発する光を良好に反射する。
【００２７】
（４）分岐ダクト
分岐ダクト２２は、分岐ユニット５０から左右に２本伸びており、後述する室内ユニット３０に接続される。この分岐ダクト２２には、メインダクト２１から流れ込み分岐ユニット５０で分配された空気が流れる（図１の白抜き矢印Ａ２参照）。
（５）室内ユニット
室内ユニット３０は、主に、図示しないクロスフローファン、熱交換器および吹き出し口などを備える。クロスフローファンは、吸い込み口１０が開いている場合には、屋外からメインダクト２１、分岐ユニット５０および分岐ダクト２２を介して空気を吸い込み、熱交換器において熱交換された調和空気を屋内に吹き出す。なお、吸い込み口１０が閉じている場合には、そのクロスフローファンは屋内の空気を吸い込み、熱交換器において熱交換された調和空気を屋内に吹き出す。熱交換器は、クロスフローファンが吸い込んだ空気と熱交換することによりその空気を冷却または加熱する。
【００２８】
（６）光触媒フィルタ
光触媒フィルタ４１，４２，４３は、吸い込み口１０の直後と、分岐ユニット５０の連結部５１とに設けられる。この光触媒フィルタ４１，４２，４３には、片面に光触媒アパタイトが担持されている。なお、図１中、吸い込み口１０の直後に配置される光触媒フィルタ４１は、光触媒アパタイトの担持面が屋外に向くように配置される。また、分岐ユニット５０の連結部５１に配置される光触媒フィルタ４２，４３は、分岐ユニット５０の内部に配置される紫外線ランプ６０に向くように配置される。
【００２９】
［空気調和システムの特徴］
（１）
本実施の形態に係る空気調和システム１００では、分岐ユニット５０が、内面に光触媒アパタイト層７０を有する。分岐ユニット５０では、メインダクト２１に比べて空気の滞留時間が長い傾向にある。また、この空気調和システム１００では、積極的に空気の流れを悪くする構造を採用していない。このため、この空気調和システム１００では、空気の流れを著しく低下させず、ウィルスや菌を除去する効率を高めることができる。
【００３０】
（２）
本実施の形態に係る空気調和システム１００では、吸い込み口１０の直後に、光触媒アパタイトの担持面が屋外に向くように光触媒フィルタ４１が配置される。また、この空気調和システム１００では、分岐ユニット５０の連結部５１に、光触媒アパタイトの担持面が紫外線ランプ６０に向くように光触媒フィルタ４２，４３が配置される。このため、光触媒アパタイトの触媒反応が十分に活性化される。したがって、この空気調和システム１００では、ウィルスや菌を除去する効率をさらに高めることができる。
【００３１】
（３）
本実施の形態に係る空気調和システム１００では、分岐ユニット５０が、紫外線ランプ６０を有する。このため、容易に光触媒アパタイト層７０の触媒反応を活性化することができる。また、分岐ユニット５０の内面は、鏡面仕上げされている。このため、紫外線ランプ６０の発する光を良好に反射することができる。したがって、光を有効に利用することができる。
【００３２】
（４）
本実施の形態に係る空気調和システム１００では、光触媒として光触媒アパタイトを採用している。従来の二酸化チタンなどの光触媒はウィルスや菌に対する吸着特性に乏しくゼオライトなどの吸着剤と混合するなどの工夫が必要であったが、この光触媒アパタイトは、光触媒機能を有するのみならずウィルスや菌に対して特異的に吸着する性質を併せ持つ。このため、従来に行われていた光触媒と吸着剤との混合工程を省略することができる。したがって、光触媒層の製造コストを削減することができる。
【００３３】
＜変形例＞
（Ａ）
先に示した実施の形態では、光触媒として光触媒アパタイトを採用したが、これに代えて、二酸化チタン（アナターゼ型、ルチル型およびブルッカイト型など）、酸化銅、酸化亜鉛、酸化タングステン、酸化鉄、硫化カドミウム、硫化亜鉛、チタン酸ストロンチウム、フラーレン（イオン注入されたものも含まれる）、ポリパラフェニレン、ポリアニリン、ポリピリジン、ポリピロール、ポリチオフェン、ポルフィリン錯体（中心金属：亜鉛、アルミニウムなど）などを採用してもよい。また、これらの光触媒と、ゼオライトや活性炭などの吸着剤とを混合した吸着剤混合型光触媒を採用してもかまわない。
【００３４】
（Ｂ）
先に示した実施の形態では、分岐ユニット５０のメインダクト２１との連結部５１に光触媒フィルタ４２を設けたが、これに代えて、プラズマイオン化器を設けてもよい。一般に、光触媒アパタイトは、ウィルスや菌に対して高い吸着能を有する。これは、光触媒アパタイトが、電荷を帯びており、微弱な電荷を有するウィルスや菌と静電的な結合を形成するためであると考えられている。このため、ウィルスや菌は、光触媒アパタイト層７０に到達する前により強い電荷を与えられる。したがって、ウィルスや菌が光触媒アパタイト層７０により吸着されやすくなる。その結果、ウィルスや菌の捕集効率を向上させることができる。
【００３５】
（Ｃ）
先に示した実施の形態では、分岐ユニット５０に紫外線ランプ６０を設けて光触媒アパタイトの触媒反応を活性化したが、これに代えて、分岐ユニット５０の一部に窓を設けて、そこから分岐ユニット５０に外光を取り入れるようにしてもよい。なお、この窓は、透明なものであっても特定波長領域の光を選択的に透過させるようなものであってもよい。このようにすれば、紫外線ランプ６０が不必要となる。このため、紫外線ランプ６０にかかる費用を削減することができる。
【００３６】
（Ｄ）
先に示した実施の形態では、分岐ユニット５０に紫外線ランプ６０を設けて光触媒アパタイトの触媒反応を活性化したが、これに代えて、分岐ユニット５０を透明にして、外光を取り入れるようにしてもよい。このようにすれば、紫外線ランプ６０が不必要となる。このため、紫外線ランプ６０にかかる費用を削減することができる。
【００３７】
（Ｅ）
先に示した実施の形態では、分岐ユニット５０に紫外線ランプ６０を設けて光触媒アパタイトの触媒反応を活性化したが、これに代えて、吸い込み口１０近傍にリフレクターを設け、屋外の光を分岐ユニット５０に導くようにしてもよい。なお、この場合、メインダクト２１および分岐ユニット５０の内部は、鏡面仕上げ、または鏡面コーティングされているのが好ましい。また、分岐ユニット５０は、吸い込み口１０からできるだけ近いところにあるのが好ましい。さらに、この場合、吸い込み口１０の直後に配置される光触媒フィルタ４１と、分岐ユニット５０のメインダクト２１との連結部５１に配置される光触媒フィルタ４２とは、取り外されるのが好ましい。このようにすれば、紫外線ランプ６０が不必要となる。このため、紫外線ランプ６０にかかる費用を削減することができる。
【００３８】
（Ｆ）
先に示した実施の形態では、分岐ユニット５０にのみ光触媒アパタイト層７０を設けたが、さらに、メインダクト２１や分岐ダクト２２にも光触媒アパタイト層７０を設けてもよい。このようにすれば、ウィルスや菌を除去する効率をさらに高めることができる。
（Ｇ）
先に示した実施の形態では、光触媒アパタイトが光触媒フィルタの片面にしか担持されていなかったが、両面に担持されていてもよいし、フィルタを構成する繊維に均一に担持されていてもよい。このようにすれば、ウィルスや菌を除去する効率をさらに高めることができる。
【００３９】
（Ｈ）
先に示した実施の形態では、分岐ユニット５０は、３つの連結部５１を有していたが、この連結部５１の数は特に限定されない。つまり、１つの分岐ユニット５０が連結部５１を４つ以上有していてもかまわない。
（Ｉ）
先に示した実施の形態では、室内への空気の吹き出しに室内ユニット３０を利用したが、これに代えて、単純な吹出口であってもよい。
【産業上の利用可能性】
【００４０】
本発明に係る分岐ユニットは、ウィルスや菌を除去する効率を高めることができ、空気ダクトシステムに適用すると効果的である。
【図面の簡単な説明】
【００４１】
【図１】本発明に係る空気調和システムのブロック図。
【符号の説明】
【００４２】
１０                  吸い込み口
２１                  メインダクト
２２                  分岐ダクト
３０                  室内ユニット
４１，４２，４３      光触媒フィルタ
５０                  分岐ユニット
６０                  紫外線ランプ
７０                  光触媒アパタイト層
１００                  空気調和システム
【図１】
2005155976.tif 000003